(57)【特許請求の範囲】
【請求項１】
前面に開口が開設された箱状に形成され点灯装置を収容する本体ケースを備える本体ユニットと、
板状に形成され前後方向に沿う一端面である入射面に入射した光を前面である出射面から出射する導光板および導光板の前面側に配置された表示パネルを備え本体ケースの開口の一部を閉塞する表示ユニットと、
点灯装置により点灯される光源を収容し表示ユニットに当接するように導光板の入射面側に配置される光源ホルダを備え本体ケースの開口の残りの部分を閉塞する光源ユニットとを有し、
本体ユニットは、それぞれ点灯装置に電気的に接続されるとともに本体ケースに取り付けられる複数個のコンタクトを備え、
光源ホルダは、表示ユニットの境界線に沿う方向である基準方向に長い長尺状に形成され、
光源ユニットは、光源ホルダの後面から突出し本体ケース内に差し込まれてコンタクトに接触する端子片を備え、
端子片は、光源にそれぞれ電気的に接続され各コンタクトの１つにそれぞれ接触する複数個の電極を備えるとともに、光源ホルダの後面における基準方向の中間の１箇所に設けられていることを特徴とする表示灯。
【請求項２】
前記本体ユニットは、前記コンタクトを収容し前記本体ケースに取り付けられるハウジングを備え、コンタクトとハウジングの壁との間と、ハウジングと本体ケースとの間との一方には、コンタクトを本体ケースに対して少なくとも前記基準方向に移動自在にする隙間が設けられることを特徴とする請求項１に記載の表示灯。
【請求項３】
前記コンタクトは、板ばねから成り、前記基準方向に弾性を有するように前記ハウジングに一端が支持された弾性片と、弾性片の他端に結合され前記端子片が接触する接触片とを備え、前記隙間は、弾性片とハウジングの壁との間に設けられ、隙間の分だけコンタクトが基準方向に移動可能であることを特徴とする請求項２記載の表示灯。
【請求項４】
前記本体ケースは、側壁の内側面に結合し前記ハウジングが内側に配置される取付枠を備え、前記隙間は、ハウジングと取付枠との間に設けられ、隙間の分だけハウジングが基準方向に移動可能であることを特徴とする請求項２記載の表示灯。
【請求項５】
前記光源ユニットは、前記端子片が取り付けられ前記ハウジングと前後方向に突き合わされる箱状の取付台を備え、ハウジングは、それぞれ前方に突出し取付台の後端部が間に挿入される一対の嵌合突起の一方を前記基準方向の両端部の一方にそれぞれ備え、一対の嵌合突起の互いに対向する各面が取付台にそれぞれ当接することを特徴とする請求項２乃至請求項４の何れか１項に記載の表示灯。
【発明の詳細な説明】
【技術分野】
【０００１】
本発明は、光源を備える光源ユニットと、光源からの光により照明される表示パネルを備えた表示ユニットとを、光源を点灯させる点灯装置を収容した本体ケースを備えた本体ユニットに取着する表示灯に関するものである。
【背景技術】
【０００２】
従来より、光源を備える光源ユニットと、光源からの光により照明される表示パネルを備えた表示ユニットとを、箱状の本体ケースを備えた本体ユニットに取着した表示灯が提供されている。本体ケースは、前面の略全面に亘る開口を有する。光源ユニットと表示ユニットとは、本体ケースの前面にそれぞれ取着され、光源ユニットと表示ユニットとで本体ケースの開口の全面が閉塞される。この種の表示灯は、例えば、表示パネルに誘導標識を表記して誘導灯に用いられる。
【０００３】
図９に示す表示灯は、誘導灯であって、光源ユニット３が備える光源（図示せず）を点灯させる点灯装置１２が本体ケース１０に収容された構成を有している（例えば、特許文献１参照）。本体ケース１０内の定位置には、点灯装置１２と光源とを電気的に接続するための部材である一対のソケット４０’がそれぞれ固定されている。
【０００４】
表示ユニット２は、それぞれ矩形状に形成された表示パネル２１と導光板（図示せず）とを重ね合わせてパネルケース２３に取り付けた構成を有している。導光板は、厚み方向に沿う一端面である入射面に入射した光を導光し、表示パネル２１との対向面である出射面の全面から略均一に光を出射する板状の部材である。
【０００５】
光源ユニット３は、図の背面と下面とが開放された直方体状の光源ホルダ３０を備え、この光源ホルダ３０に光源（図示せず）が収容された構成を有している。光源には、直管形の冷陰極蛍光灯が用いられている。
【０００６】
光源ホルダ３０の後面の長手方向の両端部には、厚み方向が当該長手方向になる端子片３９ａがそれぞれ突設されている。各端子片３９ａの一方は、光源の両極の一方にそれぞれ電気的に接続されている。
【０００７】
光源ユニット３が、表示ユニット２の図における上面に載置されるように本体ケース１０の前面に押し付けられて本体ユニット１に取着されると、端子片３９ａがソケット４０’に差し込まれ、光源が点灯装置１２に電気的に接続する。
【先行技術文献】
【特許文献】
【０００８】
【特許文献１】特開２００２−２３６５７号公報
【発明の概要】
【発明が解決しようとする課題】
【０００９】
ところで、光源ユニット３を本体ユニット１に取着する際、光源ホルダ３０の長手方向の両端部の一方が他方に対して前になるように光源ユニット３が本体ユニット１に対して傾くことがある。
【００１０】
特許文献１に記載された表示灯（誘導灯）では、端子片３９ａは光源ホルダ３０の長手方向の両端部にそれぞれ設けられているから、光源ホルダ３０が本体ユニット１に対して傾くと、端子片３９ａをソケット４０’に差し込むことができず、光源を点灯装置１２に電気的に接続できないという問題が生じる。
【００１１】
また、作業者が光源ユニット３を本体ユニット１に無理に押し付けて光源ホルダ３０の傾きを矯正すると、光源ホルダ３０の長手方向（すなわち、端子片３９ａの厚み方向）において端子片３９ａに大きな負荷が加わり、端子片３９ａが曲がったり破損したりするという問題が生じる。
【００１２】
本発明は上記事由に鑑みて為されたものであり、その目的は、光源ユニットを本体ユニットに取着する際に光源ホルダが本体ユニットに対して傾いたとしても、光源ユニットが備える光源と本体ユニットが備える点灯装置との電気的接続を行うことができ、また、作業者が光源ユニットの傾きを矯正する際に端子片が曲がったり破損したりする虞を低減できる表示灯を提供することにある。
【課題を解決するための手段】
【００１３】
請求項１の発明は、前面に開口が開設された箱状に形成され点灯装置を収容する本体ケースを備える本体ユニットと、板状に形成され前後方向に沿う一端面である入射面に入射した光を前面である出射面から出射する導光板および導光板の前面側に配置された表示パネルを備え本体ケースの開口の一部を閉塞する表示ユニットと、点灯装置により点灯される光源を収容し表示ユニットに当接するように導光板の入射面側に配置される光源ホルダを備え本体ケースの開口の残りの部分を閉塞する光源ユニットとを有し、本体ユニットは、それぞれ点灯装置に電気的に接続されるとともに本体ケースに取り付けられる複数個のコンタクトを備え、光源ホルダは、表示ユニットの境界線に沿う方向である基準方向に長い長尺状に形成され、光源ユニットは、光源ホルダの後面から突出し本体ケース内に差し込まれてコンタクトに接触する端子片を備え、端子片は、光源にそれぞれ電気的に接続され各コンタクトの１つにそれぞれ接触する複数個の電極を備えるとともに、光源ホルダの後面における基準方向の中間の１箇所に設けられていることを特徴とする。
【００１４】
請求項２の発明では、請求項１の発明において、前記本体ユニットは、前記コンタクトを収容し前記本体ケースに取り付けられるハウジングを備え、コンタクトとハウジングの壁との間と、ハウジングと本体ケースとの間との一方には、コンタクトを本体ケースに対して少なくとも前記基準方向に移動自在にする隙間が設けられることを特徴とする。
【００１５】
請求項３の発明では、請求項２の発明において、前記コンタクトは、板ばねから成り、前記基準方向に弾性を有するように前記ハウジングに一端が支持された弾性片と、弾性片の他端に結合され前記端子片が接触する接触片とを備え、前記隙間は、弾性片とハウジングの壁との間に設けられ、隙間の分だけコンタクトが基準方向に移動可能であることを特徴とする。
【００１６】
請求項４の発明では、請求項２の発明において、前記本体ケースは、側壁の内側面に結合し前記ハウジングが内側に配置される取付枠を備え、前記隙間は、ハウジングと取付枠との間に設けられ、隙間の分だけハウジングが基準方向に移動可能であることを特徴とする。
【００１７】
請求項５の発明は、請求項２乃至請求項４の何れか１項に記載の発明において、前記光源ユニットは、前記端子片が取り付けられ前記ハウジングと前後方向に突き合わされる箱状の取付台を備え、ハウジングは、それぞれ前方に突出し取付台の後端部が間に挿入される一対の嵌合突起の一方を前記基準方向の両端部の一方にそれぞれ備え、一対の嵌合突起の互いに対向する各面が取付台にそれぞれ当接することを特徴とする。
【発明の効果】
【００１８】
請求項１に記載の発明では、光源ホルダの後面における表示ユニットとの境界線に沿う方向である基準方向の中間の１箇所に設けられているから、光源ユニットを本体ユニットに取着する際に光源ホルダにおける基準方向の両端部の一方が他方に対して前になる形で光源ユニットが本体ユニットに対して傾いていても、端子片はコンタクトに接触でき、また、作業者が端子片を中心に光源ホルダの当該両端部の一方を前または後に動かすことにより端子片に大きな負荷を加えることなく光源ユニットの傾きを矯正でき、その結果、光源ユニットを本体ユニットに取着する際に光源ホルダが本体ユニットに対して傾いたとしても、光源と点灯装置とを電気的に接続でき、また、作業者が光源ユニットの傾きを矯正する際に端子片が曲がったり破損したりする虞を低減できるという利点がある。
【００１９】
請求項２に記載の発明では、コンタクトとハウジングの壁との間と、ハウジングと本体ケースとの間との一方に隙間が設けられ、コンタクトが少なくとも基準方向に移動できるから、コンタクトが基準方向に移動することにより作業者が光源ホルダの傾きを矯正する際に端子片に加わる負荷が低減し、その結果、光源ユニットの傾きを矯正する際に端子片が曲がったり破損したりする虞を請求項１よりもさらに低減できるという利点がある。
【００２０】
請求項３に記載の発明では、端子片が接触する接触片に結合した弾性片は、基準方向に弾性を有し、ハウジングの壁との間に隙間が設けられて隙間の分だけ移動できるから、弾性片が移動することにより作業者が光源ホルダの傾きを矯正する際の端子片に加わる負荷が低減し、また、光源ユニットを本体ユニットに取着する際にコンタクトが左右方向に移動していても、光源ユニットを本体ユニットから取り外すと弾性片の弾性によりコンタクトが定位置に復帰し、その結果、光源ユニットを本体ユニットに取着する前は、コンタクトが常に定位置にあるという利点がある。
【００２１】
請求項４に記載の発明では、ハウジングは、取付枠との間の隙間の分だけ移動できるから、ハウジングが移動することによりコンタクトが移動して作業者が光源ホルダの傾きを矯正する際の端子片に加わる負荷が低減し、また、コンタクトをハウジングに固定した構成を採用することができるという利点がある。
【００２２】
請求項５に記載の発明では、一対の嵌合突起の互いに対向する各面が取付台にそれぞれ当接するから、嵌合突起により基準方向における端子片とコンタクトとの位置決めができるという利点がある。
【図面の簡単な説明】
【００２３】
【図１】実施形態１の光源ユニットを外した状態の斜視図である。
【図２】同上の分解斜視図である。
【図３】同上の光源ユニットの背面側の斜視図である。
【図４】同上の取付台とソケットの斜視図である
【図５】同上のコンタクトの斜視図である。
【図６】同上のソケットの断面図である。
【図７】本体ケースの要部を示す正面図である。
【図８】実施形態３のハウジングの断面図である。
【図９】従来例を示す分解斜視図である。
【発明を実施するための形態】
【００２４】
以下では、本発明の表示灯を誘導灯に用いた例を説明する。本実施形態は、図２に示すように、薄箱状に形成され厚み方向の一面である前面の略全面に亘る開口を有する本体ケース１０を備えた本体ユニット１と、光源３１を備えた光源ユニット３と、光源３１からの光により照明される表示パネル２１を備えた表示ユニット２とにより構成される。表示ユニット２と光源ユニット３とは本体ユニット１の開口に覆着され、表示ユニット２と光源ユニット３とにより当該開口の全面が閉塞される。
【００２５】
本体ケース１０は、合成樹脂成形品であり、図２における上面を天井面に当接させて天井に取り付けられるか、または、後面を壁面に当接させて壁に取り付けられる。以下では、図２における上下方向を上下方向に規定し、図２における左上を左、右下を右に規定して説明する。ただし、これらの方向は、誘導灯の取付方向を制限するものではない。
【００２６】
本体ユニット１は、本体ケース１０に収容される金属製の取付板１１を有する。取付板１１は、例えば、ねじを用いて本体ケース１０に取り付けられる。取付板１１には、商用電源から給電され光源３１を点灯させる点灯装置１２と、商用電源の停電時に光源３１を点灯させるための電力を確保する２次電池１３と、商用電源からの給電線（図示せず）と点灯装置１２と２次電池１３とを相互に接続する端子台１４とが取り付けられる。点灯装置１２と２次電池１３と端子台１４とは、例えば、ねじを用いて取付板１１に取り付けられる。
【００２７】
給電線は、本体ケース１０の上壁と後壁とに貫設した通線孔１０ａの一方を通して本体ケース１０内に引き込まれ、さらに、取付板１１の上壁と後壁とに貫設した導入孔１１ａの一方を通して本体ユニット１に引き込まれる。
【００２８】
本体ケース１０の左右両側壁には、表示ユニット２を本体ケース１０に取り付けるための係合片１０ｂが、それぞれ複数個（図示例では２個）ずつ突設される。各係合片１０ｂは、各側壁の内側面において上下に離間している。
【００２９】
また、本体ケース１０の上端部の左右方向の中央には、点灯装置１２に電気的に接続されたソケット４０が取り付けられる。ソケット４０については、後述する。
【００３０】
さらに、本体ケース１０の上壁の左右両端部には、図１に示すように、光源ユニット３を本体ユニット１に取着するためのガイド溝１０ｃが形成される。ガイド溝１０ｃは、前面と下面とが開放されるとともに、左右方向に互いに対向する一対の周面と、各周面にそれぞれ直交する内底面（上面）とを備え、前面方形状に形成される。ガイド溝１０ｃの当該内底面には、嵌合孔１０ｄが開設される。嵌合孔１０ｄは、本体ケース１０の上壁を貫通する。
【００３１】
表示ユニット２は、図２に示すように、それぞれ矩形板状に形成された表示パネル２１と導光板２２とを前後に重ね合わせ、表示パネル２１と導光板２２との積層体の周部をパネルケース２３で囲んだ構成を有する。パネルケース２３は、導光板２２の上面である入射面を露出させるように上方に開放されたコ字状に形成されている。表示パネル２１は、透光性の合成樹脂材料を用いて形成された成形品であり、文字や図形が表記される（誘導灯では誘導標識が表記される）。
【００３２】
導光板２２は、透明合成樹脂を用いて形成され、入射面から導入した光を前面である出射面と後面である光反射面との間で内部反射を繰り返させることにより導光する。また、導光板２２は、導光する間に一部の光を出射面から漏光させることにより、出射面の全面から光束を均一に出射させる機能を有する。したがって、導光板２２に積層された表示パネル２１が均一な輝度を照明することができる。
【００３３】
導光板２２の原理は周知であるから詳述しないが、導光板２２には、出射面から光を出射させるために、左右方向に沿う断面Ｖ字状の溝を光反射面に形成し、溝の壁面で光を反射させる構成、あるいは多数個のドットパターンを光反射面に印刷し、ドットパターンで光を拡散反射させる構成が用いられる。これらの構成を採用することで、導光板２２の内部で導光される光の一部は、臨界角よりも小さい入射角で出射面に入射し、出射面から出射する。導光板２２の光反射面側には、光反射面から漏光する光を反射する反射シート（図示せず）が配置される。
【００３４】
ところで、パネルケース２３の左右両側面には、本体ケース１０に設けた係合片１０ｂと互いに前後に重なる取付片２３ａが、各側面に複数個（図示例では２個）ずつ突設される。
【００３５】
本体ケース１０に表示ユニット２を取り付けるにあたっては、本体ケース１０の係合片１０ｂよりも取付片２３ａが上方に位置するように本体ケース１０の前面に表示ユニット２を重ね合わせ、その後、表示ユニット２を落とし込むことにより、係合片１０ｂの後側に取付片２３ａを重複させる。係合片１０ｂは、本体ケース１０の開口面よりもやや後方に設けられ、表示ユニット２を落とし込んだときに、表示ユニット２の下端が本体ケース１０の下壁の上面に載るようにしてある。したがって、表示ユニット２は、下向き荷重が本体ユニット１に支持され、本体ユニット１の開口面のうち上部を除く部位を閉塞する形で本体ユニット１に取着される。
【００３６】
光源ユニット３は、下面と後面とが開放された左右方向に長い直方体状に形成された光源ホルダ３０を備える。光源ホルダ３０は、合成樹脂成形品であり、上壁の後面の左右両端部には、本体ケース１０に設けたガイド溝１０ｃに挿入されるガイド突起３０ａと、本体ケース１０内に挿入されて本体ケース１０の左右の側壁に当接する位置ずれ防止突起３０ｃとがそれぞれ突設される。
【００３７】
ガイド突起３０ａは、厚み方向が上下方向になる板状に形成され、先端部には、ガイド溝１０ｃに設けた嵌合孔１０ｄに嵌まる嵌合凸部３０ｂが突設される。また、ガイド突起３０ａの幅寸法（左右方向の寸法）は、ガイド溝１０ｃの幅寸法（左右方向の一対の周面間の距離）と略同一寸法に設定され、ガイド突起３０ａがガイド溝１０ｃに差し込まれると、ガイド突起３０ａの左右方向の側面の一方がガイド溝１０ｃの左右方向の周面の一方にそれぞれ当接する。つまり、ガイド突起３０ａがガイド溝１０ｃに差し込まれると、光源ホルダ３０の左右方向の移動が規制される。
【００３８】
光源ユニット３は、表示ユニット２を本体ユニット１に取着した後、ガイド突起３０ａが本体ケース１０に設けたガイド溝１０ｃに差し込まれるように位置が合わされ、本体ユニット１の前面に押し付けられて表示ユニット２の上面に載置される。ガイド突起３０ａがガイド溝１０ｃに差し込まれると、ガイド突起３０ａの先端に設けた嵌合凸部３０ｂがガイド溝１０ｃの内底面に摺接してガイド突起３０ａが撓み、嵌合凸部３０ｂがガイド溝１０ｃの内底面に開設した嵌合孔１０ｄに嵌まる。光源ユニット３は、表示ユニット２の上面に載置されることで下向き荷重が表示ユニット２に支持され、上述したようにガイド突起３０ａがガイド溝１０ｃに差し込まれることで左右方向の移動が規制され、嵌合凸部３０ｂが嵌合孔１０ｄに嵌まることにより前後方向の移動が規制され、本体ユニット１に取着された状態になる。
【００３９】
また、光源ユニット３を本体ユニット１に取着する際に、位置ずれ防止突起３０ｃが本体ケース１０への取付位置の目安として本体ケース１０内に挿入され、位置ずれ防止突起３０ｃにより、光源ユニット３を本体ユニット１に取り付ける際の作業性が向上する。
【００４０】
光源ホルダ３０には、上述の光源３１がそれぞれ実装された左右一対の基板３４と、各光源３１から放射された光を導光板２２の入射面に導く左右一対の導光部材３３と、基板３４および導光部材３３を一体化する収納ケース３２とが収容される。光源３１には、例えば、発光ダイオードが用いられる。
【００４１】
収納ケース３２は、光源ホルダ３０の長手方向に長い箱状に形成され、左右両側面と下面とが開放されるとともに、光源ホルダ３０内の定位置に固定される。各基板３４は、収納ケース３２の左右両端部にそれぞれ結合される取付部材３５と、基板３４と取付部材３５との間に介装される保持部材３６とを用いて収納ケース３２の左右両端部にそれぞれ固定される。
【００４２】
導光部材３３は、透明合成樹脂により楔状に形成され、左右方向の一端には、左右方向に直交する光導入面３３ａが設けられるとともに、上面は、左右方向において光導入面３３ａから離れるほど下面である光導出面に近付くように傾斜した傾斜面になっている。傾斜面には、導光板２２の光反射面と同様に断面Ｖ字状の溝あるいは拡散反射性のドットパターンが形成される。
【００４３】
各導光部材３３は、光導入面３３ａが光源３１に対向する形で収納ケース３２の左右両部にそれぞれ収納されるとともに、収納ケース３２内で定位置に固定され、光源３１からの光が光導入面３３ａに入射する。導光部材３３は、光導入面３３ａから導入された光を導光し、光導出面の全面に亘って出射させる。なお、収納ケース３２の上壁内側面は反射面とするのが望ましい。
【００４４】
ところで、光源ホルダ３０には、上述した光源３１および導光部材３３に加えて、導光部材３３の光導出面に対向して配置される光拡散シート３７と、光拡散シート３７を挟んで導光部材３３の反対側に配置される透明材料により形成された漏光防止部材３８とが収納されている。導光部材３３の光導出面から出射した光は、光拡散シート３７で拡散され、漏光防止部材３８を通して光源ユニット３から出射される。光拡散シート３７は、導光部材３３から出射された光を拡散させて左右方向において光束を均一化する機能を有する。また、漏光防止部材３８は、光拡散シート３７を通った光が発散せずに漏光防止部材３８の下面から出射されるように光の出射範囲を制限する機能を有する。
【００４５】
また、光源ホルダ３０には、図３に示すように、本体ケース１０に取り付けられたソケット４０（図２参照）にそれぞれ差し込まれる上下一対の端子片３９ａが取り付けられる取付台３９が収容される。取付台３９は、前面方形状の箱状に形成され、光源ホルダ３０の長手方向（左右方向）の中央において、後面が光源ホルダ３０の上壁の後面と面一になるように、収納ケース３２の上面と光源ホルダ３０の上壁の内側面（下面）とに挟まれる形で定位置に固定される。すなわち、端子片３９ａは、光源ホルダ３０の後面における表示ユニット２との境界線に沿う方向である基準方向（すなわち、左右方向）の中間の１箇所（中央）に設けられる。
【００４６】
各端子片３９ａは、導電性の板状の金属材料から成り、厚み方向が左右方向になるように取付台３９の後壁を貫通した形で取付台に取り付けられる。取付台３９は、上述したように後面が光源ホルダ３０の上壁の後面と面一になるように本体ケース１０に取り付けられるから、端子片３９ａは、光源ホルダ３０の上壁の後面よりも後方に突出する。
【００４７】
各端子片３９ａは、リード線６１を介して各光源３１とそれぞれ電気的に接続される。リード線６１は、一端が端子片３９ａに接続され、他端が基板３４に直接半田付けされる。なお、基板３４に基板側コネクタを実装し、リード線６１の他端に、基板側コネクタに接続するリード線側コネクタを結合して、リード線６１と基板３４とを接続することもできる。取付台３９の周壁には、リード線６１を通す通線孔（図示せず）が貫設される。
【００４８】
本実施形態では、上述のように端子片３９ａを導電性の金属材料で形成し、端子片３９ａ自体を電極としている。ただし、これに限るものではなく、例えば、導体パターンにより上下一対の電極を形成したプリント印刷基板を端子片として用いることもできる。
【００４９】
端子片３９ａが差し込まれるソケット４０は、図４に示すように、板ばねからなる上下一対のコンタクト５０と、コンタクト５０を収容するハウジング４１とを備える。
【００５０】
コンタクト５０は、図５に示すように、厚み方向（左右方向）に互いに対向する左右一対の弾性片５２を備える。一対の弾性片５２の後端部の図における上端同士は、結合片５４により結合される。一対の弾性片５２の間には、左右方向に互いに対向する一対の接触片５１が配置される。一対の接触片５１は、後端部が互いに近接し、前端は一方の弾性片５２の前端に結合する。端子片３９ａは、一対の接触片５１の後端部間に差し込まれて挟持される。
【００５１】
また、一方の弾性片５２の後端からは、点灯装置１２とコンタクト５０とを電気的に接続するためのリード線６２（図６参照）が接続される接続片５３に結合する連結片５５が延設される。連結片５５は、一方の弾性片５２の後端から他方の弾性片５２に向かって、一対の弾性片５２の中間まで延設され、先端に接続片５３が結合する。接続片５３は、厚み方向が左右方向になる板状に且つ前後方向に長い形状に形成され、後端部にリード線６２が結合される。
【００５２】
一方、ハウジング４１は、図４に示すように、前面方形状の箱状に形成され、光源ホルダ３０に設けられた上下一対の端子片３９ａの一方がそれぞれ差し込まれる上下一対の差込口４１ａが前面に開設される。つまり、ハウジング４１は、左右の両側壁を上下方向の中央で結合する仕切板４２により内部空間が上下に仕切られた形状を有し、仕切板４２の上下両側にコンタクト５０がそれぞれ配置される。コンタクト５０をハウジング４１内に配置するため、例えば、ハウジング４１の上壁と下壁とは、着脱自在に形成される。ハウジング４１の周壁には、リード線６２を通すための線通孔（図示せず）が貫設される。
【００５３】
仕切板４２の上下両面には、図６に示すように、厚み方向を前後方向としコンタクト５０の接続片５３が差し込まれるスリット４２ａが設けられたリブ４２ｂと、四角柱状の回転軸４２ｃとがそれぞれ突設される。回転軸４２ｃは、リブ４２ｂの前方における左右方向の中央部に設けられ、左右方向の寸法がコンタクト５０の弾性片５２の後端部間の寸法よりも僅かに小さく設定され、弾性片５２の後端部間に挿入される。すなわち、コンタクト５０がハウジング４１内に配置されると、コンタクト５０の連結片５５は、リブ４２ｂと回転軸４２ｃとの間になる。
【００５４】
コンタクト５０は、連結片５５が回転軸４２ｃの後面に当接することで前方（図における左方）への移動が規制され、連結片５５がリブ４２ｂの前面に当接することで後方（図における右方）への移動が規制される。
【００５５】
また、一対の弾性片５２の後端部は、結合片５４で結合されるとともに、回転軸４２ｃが間に挿入されるから、弾性片５２の後端部は左右方向において回転軸４２ｃに支持される。したがって、弾性部５２は、左右方向に弾性を有する。ここに、弾性片５２とハウジング４１の左右の側壁との間に隙間ができるように、ハウジング４１の左右方向の側壁の内側面間の寸法が設定される。したがって、弾性片５２は当該隙間の分だけ撓むことができ、弾性変５２が撓むことで弾性片５２の前部および接触片５１が左右方向に移動することができる。つまり、コンタクト５０の前部（弾性片５２の前部と接触片５１）は、回転軸４３ｃを中心に回転するように変位する。
【００５６】
一方、図７に示すように、本体ケース１０の上壁の内側面の左右方向の中央部には、ソケット４０が間に配置される左右一対の支持片７１が突設される。支持片７１の前後方向の寸法は、ハウジング４１の前後方向の寸法よりも小さく設定され、ハウジング４１の左右の両側面の後端部は露出する。
【００５７】
各支持片７１の先端部（図における下端部）には、互いに近づく向きに支持凸部７２がそれぞれ突設され、支持凸部７２の上面がハウジング４１の下面に当接することにより、ハウジング４１の下向き荷重が支持凸部７２に支持され、本体ケース１０に取り付けられる。すなわち、支持片７１と支持凸部７２とでソケット４０を本体ケース１０に取り付けるための取付枠が形成される。
【００５８】
一対の支持片７１における互いに対向する側面同士の距離Ｌ１は、ハウジング４１の左右方向の寸法Ｌ２と同一寸法、または、ハウジング４１の寸法誤差の上限の分だけ大きく設定される。また、支持凸部７２の上面と本体ケース１０の上壁の内側面との間の距離Ｌ３は、ハウジング４１の上下方向の寸法Ｌ４と略同一寸法、または、ハウジング４１の寸法誤差の上限の分だけ大きく設定される。ハウジング４１は、支持片７１と支持凸部７２とにより、上下左右方向の移動が規制される。
【００５９】
また、各支持片７１の前端部には、互いに近づく向きに規制片７３が突設される（図８参照）。規制片７３は、前面が本体ケース１０の開口面と面一になるように設けられる。ハウジング４１は、前面が規制片７３に当接し後面が本体ケース１０の内底面に当接し、前後方向の移動が規制される。すなわち、ハウジング４１は、支持片７１と支持凸部７２と規制片７３とで本体ケース１０に固定される。なお、本体ケース１０に支持片７１、支持凸部７２、規制片７３を設ける代わりに、ハウジング４１を本体ケース１０に連続一体に形成することもできる。また、ねじを用いてハウジング４１を本体ケース１０に固定することもできる。
【００６０】
光源ユニット３を本体ユニット１に取着するにあたり、ガイド突起３０ａをガイド溝１０ｃの位置に合わせることにより、端子片３９ａはソケット４０に位置が合わされる。また、上述したように、規制片７３は、前面が本体ケース１０の開口面と面一になるように設けられ、ハウジング４１は前面が規制片７３に当接し、端子片３９ａは光源ホルダ３０の後面から後方に突出するから、光源ユニット３を本体ユニット１に取着すると、端子片３９ａはソケット４０に差し込まれ、端子片３９ａがコンタクト５０に接触して光源３１が点灯装置１２に電気的に接続する。
【００６１】
ところで、光源ユニット３を本体ユニット１に取着する際、光源ホルダ３０の左右方向の両端部の一方が他方に対して前になる形で光源ホルダ３０が本体ユニット１に対して傾き、光源ホルダ３０が傾いた状態で端子片３９ａがソケット４０に差し込まれることがある。本実施形態では、上述したように、端子片３９ａ（図３参照）は、基準方向（左右方向）の中間の１箇所（中央）に設けられているから、光源ユニット３を本体ユニット１に取着する際に光源ホルダ３０が本体ユニット１に対して傾いても、端子片３９ａをソケット４０に差し込むことができ、また、作業者が、端子片３９ａを中心にして光源ホルダ３０の長手方向の両端部の一方を前に、他方を後に移動させることで端子片３９ａに大きな負荷を加えることなく光源ホルダ３０の傾きを矯正できる。その結果、光源ユニット３を本体ユニット１に取着する際に光源ホルダ３０が本体ユニット１に対して傾いても、光源３１は点灯装置１２に電気的に接続し、また、作業者が光源ホルダ３０の傾きを矯正する際に端子片３９ａが曲がったり破損したりする虞が低減する。
【００６２】
さらに、コンタクト５０（図６参照）の弾性片５２は、上述したように左右方向に移動できるから、光源ホルダ３０が本体ユニット１に対して傾いた状態で端子片３９ａがコンタクト５０に差し込まれたとしても、コンタクト５０が左右方向に移動することにより端子片３９ａの厚み方向（左右方向）に加わる負荷を低減でき、また、コンタクト５０の弾性片５２が左右方向に移動することで、光源ホルダ３０の傾きを矯正する際の端子片３９ａに加わる負荷を低減でき、端子片３９ａが曲がったり破損したりする虞をさらに低減することができる。なお、光源ホルダ３０の傾きが矯正されると、光源ホルダ３０に設けたガイド突起３０ａと本体ケース１０の上壁に設けたガイド溝１０ｃとの嵌合により、端子片３９ａは左右方向におけるハウジング４１の中央に位置が合わされ、コンタクト５０の接触片５１が当該中央の位置に復帰する。
【００６３】
また、上述のようにコンタクト５０の弾性片５２の後端部が回転軸４２ｃに支持されているから、光源ユニット３を本体ユニット２から取り外す際にコンタクト５０が左右に移動しても、接触片５１は、弾性片５２の弾性により左右方向におけるハウジング４１の中央に復帰する。
（実施形態２）
実施形態１では、コンタクト５０の弾性片５２が左右方向に移動できる構成を説明したが、本実施形態では、ハウジング４１が本体ケース１０に対して上下左右に移動できる構成を説明する。
【００６４】
図７に示した支持片７１間の距離Ｌ１は、ハウジング４１の左右方向の寸法Ｌ２よりも大きく設定され、ハウジング４１と支持片７１との間には、隙間が設けられる。また、支持片７１に設けられた支持凸部７２の上面と本体ケース１０の上壁の内側面との間の距離Ｌ３は、ハウジング４１の上下方向の寸法Ｌ４よりも大きく設定され、ハウジング４１と本体ケース１０の上壁との間には、隙間が設けられる。したがって、ハウジング４１は、隙間の分だけ上下左右に移動することができる。
【００６５】
ハウジング４１が上下左右に移動することができるから、実施形態１の場合と同様に、光源ホルダ３０の傾きを矯正する際に端子片３９ａに加わる負荷を低減することができる。
【００６６】
また、ハウジング４１が上下左右に移動することでコンタクト５０が移動するから、コンタクト５０がハウジング４１内に固定された構成のソケットを使用することができる。
【００６７】
その他の構成は、実施形態１の構成と同様である。
（実施形態３）
本実施形態では、実施形態１において、ハウジング４１の前面の左右方向（図における上下方向）の両端部に図８に示す嵌合突起４３がそれぞれ突設され、端子片３９が取り付けられた取付台３９の後端部が一対の嵌合突起４３の間に挿入される構成を説明する。
【００６８】
ハウジング４１は、嵌合突起４３の先端が支持片７１に設けられた規制片７３に当接し後面が本体ケース１０の内底面に当接するように配置される。すなわち、ソケット４０は、前後方向（図における左右方向）の移動が規制される。
【００６９】
各嵌合突起４３は、左右方向（図における上下方向）に互いに対向する一対の案内面４３ａの一方をそれぞれ備える。案内面４３ａは、後方に向かうに従い嵌合突起４３の左右方向（図における上下方向）の幅寸法が大きくなるように傾斜する。
【００７０】
一方、取付台３９は、後端部における左右方向（図における上下方向）の各端部に、嵌合突起４３の案内面４３ａに当接する左右一対の当接面３９ｂの一方をそれぞれ備える。また、取付台３９は、ハウジング４１に設けた嵌合突起４３の突出寸法だけ光源ホルダ３０の後面よりも後方に突出するように、光源ホルダ３０に取り付けられる。したがって、光源ユニット３が本体ユニット１に取着されると、一対の嵌合突起４３間に取付台３９の後端部が挿入されることになる。
【００７１】
嵌合突起４３は、光源ユニット３が本体ユニット１に取着される際、当接面３９ｂが案内面４３ａに当接することで、左右方向におけるハウジング４１の中央に端子片３９ａを案内する。つまり、光源ユニット３が本体ユニット１に取着された後は、光源ホルダ３０に設けたガイド突起３０ａと本体ケース１０に設けたガイド溝１０ｃとの嵌合に加え、取付台３９の当接面３９ｂと嵌合突起４３の案内面４３ａとが当接することによっても、端子片３９は左右方向におけるハウジング４１の中央に位置することになる。
【００７２】
本実施形態では、嵌合突起４３の先端が規制片７３に当接してハウジング４１の挿入口４１ａが嵌合突起４３の突出寸法だけ本体ケース１０の開口面よりも後方になり、嵌合突起４３の突出寸法だけ光源ホルダ３０の後面よりも取付台３９の後端部を後方に突出させて取付台３９の後端部を一対の嵌合突起４３間に挿入する構成を例示した。ただし、これに限るものではなく、取付台３９とハウジング４１とは、取付台３９の後端部が一対の嵌合突起４３間に挿入する位置関係であればよい。例えば、嵌合突起４３の先端が本体ケース１０の開口面よりも前方になり、取付台３９の後面が光源ホルダ３０の上壁の後面と面一になる位置関係で取付台３９とソケット４０とを配置し、取付台３９の後端部が一対の嵌合突起４３間に挿入する構成であってもよい。
【００７３】
その他の構成は、実施形態１の構成と同様である。
【符号の説明】
【００７４】
１  本体ユニット
２  表示ユニット
３  光源ユニット
１０  本体ケース
２１  表示パネル
２２  導光板
３０  光源ホルダ
３１  光源
３９  取付台
３９ａ  端子片
４０  ソケット
４１  ハウジング
４３  嵌合突起
５０  コンタクト
５１  接触片
５２  弾性片
７１  支持片（取付枠）
７２  支持凸部（取付枠）
【図１】
0005491780.tif 000002
【図２】
0005491780.tif 000003
【図３】
0005491780.tif 000004
【図４】
0005491780.tif 000005
【図５】
0005491780.tif 000006
【図６】
0005491780.tif 000007
【図７】
0005491780.tif 000008
【図８】
0005491780.tif 000009
【図９】
0005491780.tif 000010